(57)【要約】【課題】断熱扉の断熱性能を向上させる。【解決手段】真空断熱材と、該真空断熱材の後方に配された内板と、前方に配された外板と、側方に配された１つ以上の枠部と、を備える断熱扉であって、真空断熱材の側周側のうち２か所以上が、互いに異なる部材で支持されており、真空断熱材の少なくとも中央側は、内板及び外側から離間している。【選択図】  図２
2020176806.tif 000002
【特許請求の範囲】
【請求項１】
真空断熱材と、
該真空断熱材の後方に配された内板と、
該真空断熱材の前方に配された外板と、
該真空断熱材の側方に配された１つ以上の枠部と、を備える断熱扉であって、
前記真空断熱材の側周側のうち２か所以上が、互いに異なる部材で支持されており、
前記真空断熱材の少なくとも中央側は、前記内板及び前記外側から離間している断熱扉。
【請求項２】
前記真空断熱材を支持する１か所が、前記枠部の手掛け部である請求項１に記載の断熱扉。
【請求項３】
前記真空断熱材を支持する１か所が、前記内板、前記外板又は前記枠部に取付けられた断熱体としてのスペーサである請求項１又は２に記載の断熱扉。
【請求項４】
請求項１乃至３何れか一項に記載の断熱扉を有する冷蔵庫。
【発明の詳細な説明】
【技術分野】
【０００１】
本発明は、断熱扉及びこれを備える冷蔵庫に関する。
【背景技術】
【０００２】
特許文献１は、ＡＢＳ等のプラスチックからなり、板状の第一の押え部６ａで真空断熱材５を前後で挟み込む一つの支持部材６を開示している（００３５、図２，３）。真空断熱材５は、断熱扉１の手掛け（図２中、上側にある凹み）の後方にまでは届いておらず、手掛けによって低下しやすい断熱性能を補償しようとした構造ではない。
【先行技術文献】
【特許文献】
【０００３】
【特許文献１】特開２０１１−６９５６０号公報
【発明の概要】
【発明が解決しようとする課題】
【０００４】
特許文献１は、支持部材６が真空断熱材５を前後で挟み込み、上辺側と下辺側とを繋いでいる。しかもＡＢＳ等の伝熱性の比較的高い材料で形成しているため、扉枠３と支持部材６とを介して熱伝達が生じやすく、断熱性能に改善の余地がある。
【課題を解決するための手段】
【０００５】
上記事情に鑑みてなされた本発明は、
真空断熱材と、
該真空断熱材の後方に配された内板と、
該真空断熱材の前方に配された外板と、
該真空断熱材の側方に配された１つ以上の枠部と、を備える断熱扉であって、
前記真空断熱材の側周側のうち２か所以上が、互いに異なる部材で支持されており、
前記真空断熱材の少なくとも中央側は、前記内板及び前記外側から離間している。
【図面の簡単な説明】
【０００６】
【図１】実施形態の冷蔵庫の斜視図
【図２】実施形態の冷凍室扉の側面断面図
【図３】実施形態の外板の斜視図
【図４】実施形態の扉に取付けられた貯蔵室容器を含む断面側面図
【発明を実施するための形態】
【０００７】
以下、本発明の実施形態について添付の図面を参照しつつ説明する。庫内側を後方、庫外側を前方、重力加速度の方向を下方とする。
図１は実施形態の冷蔵庫の斜視図である。冷蔵庫１は、上側から冷蔵室２、製氷室３、上段冷凍室４、冷凍室５、野菜室６と、これら貯蔵室の前面開口部を閉塞する扉２ａ−６ａがそれぞれ設けられている。上段冷凍室扉４ａは上段冷凍室４の前面開口部を閉じる扉、製氷室扉３ａは製氷室３の前面開口部を閉じる扉、冷凍室扉５ａは冷凍室５の前面開口部を閉じる扉、野菜室扉６ａは野菜室６の前面開口部を閉じる扉である。
【０００８】
図２は冷凍室扉５ａの側面断面図である。冷凍室扉５ａの構成と同様の構成を他の扉に関しても採用できる。冷凍室扉５ａは、庫外に面する外板１１、外板１１の周縁に配された枠体として、上部枠体１３、下部枠体１４、左右枠体（不図示）、庫内に面する内板１２を有する。外板１１と内板１２とは前後方向に離間しており、外板１１と内板１２とはそれぞれ枠体１３，１４で支持されている。外板１１、内板１２、枠体１３，１４に囲まれた空間には、真空断熱材５１と発泡断熱材（不図示）とが配されている。発泡断熱材に代えて予め成形されている成形断熱材を配してもよい。
【０００９】
（真空断熱材５１）
真空断熱材５１はグラスウールからなるコア材と、そのコア材を収納するガスバリア性を有する板状のもので、内部を真空状態とすることで高断熱性を発揮するものである。真空断熱材５１の外包材は通常、良熱伝導体であるため、他部材に接触させないで収納させることが好ましい。特に内板１２への接触は、冷蔵庫内部から外部への熱（冷気）伝導は冷蔵庫外面が結露するなど外観上顕著になり得るため避けることが望まれる。
【００１０】
本実施形態は、真空断熱材５１の側周の一部（上辺側）を第１支持部１３ａで支持するとともに、他の一部（下辺側）を第１支持部１３ａとは別体のスペーサ５２で支持することで、真空断熱材５１の前面と後面とが極力外板１１、内板１２と接触しないようにし、かつ、支持部１３ａ，５２を伝った熱伝達が生じにくいようにした。本実施形態では真空断熱材５１の前面の側周の一部（本実施形態では、互いに対向する上辺側と下辺側。）を除き、前面と後面の略全体（少なくとも中央側）が外板１１及び内板１２から離間している。
【００１１】
（第１支持部１３ａ）
外板１１と内板１２との前後方向の間には、真空断熱材５１の上辺側を支持する第１支持部１３ａが配されている。第１支持部１３ａは、例えばスチロフォーム等の断熱部材で形成することができる。本実施形態では、扉５ａの開閉を行う際に手を掛けるためのハンドル（凹部）９９の後端としても第１支持部１３ａを用いている。ハンドルが存在する本実施形態のような扉５ａの場合、段差部１３ａより庫内側の領域は、断熱材を配することができる厚みが薄い。このため内板１２のうち、段差部１３ａの前後方向の投影領域内を含んで、後方に突出した凸部１２ａを設け、ハンドルによって減少した断熱幅を補償している。第１支持部１３ａとしてハンドルの後端を利用することで、真空断熱材５１をハンドル後側にまで届かせることができる。
【００１２】
（第２支持部５２）
外板１１と内板１２との前後方向の間には、真空断熱材５１の下辺側を支持する第２支持部５２が配されている。第２支持部としてのスペーサ５２は、例えばスチロフォーム等の断熱部材で形成することができる。また、スペーサ５２は例えば、外板１１から後方へ、下部枠体１４から上方へ、又は内板１２から前方へ、突出した形状にすることができる。そして、外板１１、下部枠体１４、又は内板１２に両面テープ等で固定され、真空断熱材５１の他端側を支持するものにできる。
【００１３】
（扉５ａ内の他の領域）
真空断熱材５１の一辺側と他辺側とで真空断熱材を支持することで、真空断熱材５１の中央側には発泡断熱材や成形断熱材を配置しやすい。
【００１４】
（真空断熱材５１の配置）
第１支持部１３ａでは、真空断熱材５１を例えば両面テープで固定しておくと望ましい。真空断熱材５１の位置合わせを容易にすべく、支持部１３ａ，５２の少なくとも一方は、真空断熱材５１を前後側及び上下側それぞれから支持できることが好ましい。本実施形態では、スペーサ５２が真空断熱材５１の他辺側について、下側及び前側から支持できるようにされている。
【００１５】
外板１１と内板１２との間のうち、真空断熱材５１以外の領域には発泡断熱材及び／又は成形断熱材を配することができる。本実施形態では、ハンドルの直下で真空断熱材５１の他端が支持されているため、真空断熱材５１は一辺側が後方に、他辺側が前方に位置した斜め配置になっている。このような配置にすると、扉５ａに発泡断熱材のフォームを注入する際、それぞれ幅広の空間に流れ、全体に充填させやすい。
【００１６】
図３は実施形態の外板１１の斜視図である。スペーサ５２は扉５ａに対し左右幅の狭い部品となっており、複数個使用することによって先述した発泡断熱体が外板１１と真空断熱材５１で囲まれた空間に流れるようにしている。また真空断熱材５１と扉５ａの左右枠体との間には十分な隙間があり、真空断熱材５１の傾斜だけでなく側面方向からでも発泡断熱材の流動と充填に阻害が生じにくいようにしている。
【００１７】
図４は扉５ａに取付けられた貯蔵室容器７１を含む断面側面図である。内板１２の凸部１２ａの段差を、扉５ａの開閉に追従して摺動する収納容器７１の開口部フランジ７１ａの鉛直投影部の範囲内にすれば、収納物の出し入れ時に使用者の邪魔になることを抑制できる。
【符号の説明】
【００１８】
１  冷蔵庫
１ａ  冷蔵庫箱体のフランジ
２  冷蔵室
２ａ  右側冷蔵室扉
２ｂ  左側冷蔵室扉
３    製氷室
３ａ  製氷室扉
４    上段冷凍室
４ａ  上段冷凍室扉
５    下段冷凍室
５ａ  下段冷凍室扉
６    野菜室
６ａ  野菜室扉
１１  外板
１２  内板
１２ａ  内板凸部
１３  上枠体
１３ａ  第１の支持部
１４  下枠体
５１  真空断熱材
５２  第２の支持部
７１  食品収納容器
７１ａ  食品収納容器フランジ
【図１】
2020176806.tif 000003
【図２】
2020176806.tif 000004
【図３】
2020176806.tif 000005
【図４】
2020176806.tif 000006